(57)【要約】【課題】インクジェット型の画像形成装置のように、カートリッジ方式ではなくタンク補給方式を適用できる電子写真方式の画像形成装置を提供すること。【解決手段】  画像形成装置１に、第１現像ローラ２０Ｋを有する第１現像ユニット２Ｋと、第１現像ユニット２Ｋにトナーを供給するように構成される第１トナー供給ユニット３Ｋとを備える。第１トナー供給ユニット３Ｋに、第１収容容器３０Ｋと、第１蓋３１Ｋと、第１シャッタ３２Ｋとを備える。第１収容容器３０Ｋは、トナーを受け入れるための第１受入口３５Ｋと、トナーを排出するための第１排出口３６Ｋとを有する。第１蓋３１Ｋは、第１受入口３５Ｋを閉鎖する。第１シャッタ３２Ｋに、第１蓋３１Ｋが第１受入口３５Ｋを閉鎖するときに、第１排出口３６Ｋを開放させ、第１蓋３１Ｋが第１受入口３５Ｋを開放するときに、第１排出口３６Ｋを閉鎖させる。【選択図】図６
2019061214.tif 000002
【特許請求の範囲】
【請求項１】
第１現像ローラを有する第１現像ユニットと、
前記第１現像ユニットにトナーを供給するように構成される第１トナー供給ユニットと、を備え、
前記第１トナー供給ユニットは、
トナーを収容するための第１収容容器であって、トナーを受け入れるための第１受入口と、トナーを排出するための第１排出口とを有する第１収容容器と、
前記第１受入口を閉鎖するための第１蓋と、
前記第１蓋が前記第１受入口を閉鎖するときに、前記第１排出口を開放し、前記第１蓋が前記第１受入口を開放するときに、前記第１排出口を閉鎖する第１シャッタと、を備えることを特徴とする画像形成装置。
【請求項２】
前記第１トナー供給ユニットは、前記第１収容容器内に配置され、前記第１収容容器内のトナーを撹拌可能な第１撹拌部材を備えることを特徴とする、請求項１に記載の画像形成装置。
【請求項３】
前記第１収容容器は、前記第１蓋が前記第１受入口を閉鎖する第１位置と、前記第１蓋が前記第１受入口を開放する第２位置との間を、前記第１撹拌部材の回転軸線について回動可能であり、
前記第１シャッタは、前記第１収容容器が前記第１位置にあるときに前記第１排出口を開放し、前記第１収容容器が前記第２位置にあるときに前記第１排出口を閉鎖することを特徴とする、請求項２に記載の画像形成装置。
【請求項４】
前記第１収容容器は、前記第１排出口を有する半球形状の底部を有していることを特徴とする、請求項３に記載の画像形成装置。
【請求項５】
前記第１撹拌部材は、ワイヤ形状を有していることを特徴とする、請求項３または４に記載の画像形成装置。
【請求項６】
第２現像ローラを有する第２現像ユニットと、
前記第２現像ユニットにトナーを供給するように構成される第２トナー供給ユニットであって、前記第１撹拌部材の回転軸線の延びる方向において、前記第１トナー供給ユニットと隣り合うように並ぶ第２トナー供給ユニットとを備え、
前記第２トナー供給ユニットは、
トナーを収容するための第２収容容器であって、トナーを受け入れるための第２受入口と、トナーを排出するための第２排出口とを有する第２収容容器と、
前記第２受入口を閉鎖するための第２蓋と、
前記第２蓋が前記第２受入口を閉鎖するときに、前記第２排出口を開放し、前記第２蓋が前記第２受入口を開放するときに、前記第２排出口を閉鎖する第２シャッタと、
前記第２収容容器内に配置され、前記第２収容容器内のトナーを撹拌可能な第２撹拌部材と、を備え、
前記第１撹拌部材と前記第２撹拌部材とは、駆動力が伝達可能となるように互いに連結されていることを特徴とする、請求項３〜５のいずれか一項に記載の画像形成装置。
【請求項７】
前記第１撹拌部材は、第１カップリングを備え、
前記第２撹拌部材は、前記第１カップリングと連結可能な第２カップリングを備えていることを特徴とする、請求項６に記載の画像形成装置。
【請求項８】
前記第１収容容器は、前記第１受入口を有する一端部と、前記第１排出口を有する他端部であって、前記第１撹拌部材の回転軸線に対して前記一端部と反対側に位置する他端部と、を有し、
前記一端部は、前記第１収容容器が前記第１位置に位置する場合に、前記第１現像ユニットと前記第１トナー供給ユニットの並ぶ第１方向における一端と、前記第１方向における他端であって、前記第１方向において前記第１受入口に対して前記一端の反対側に位置する他端であり、前記第１方向において前記一端よりも前記第１現像ユニットから離れて位置する他端と、を有し、
前記他端は、前記第１受入口と前記第１排出口の並ぶ方向において、前記一端よりも前記第１排出口から離れて位置することを特徴とする、請求項３〜７のいずれか一項に記載の画像形成装置。
【請求項９】
前記第１蓋は、前記第１現像ユニットと前記第１トナー供給ユニットの並ぶ第１方向における一端と、前記第１方向における他端であって、前記第１方向において前記一端よりも前記第１現像ユニットから離れて位置する他端と、を有し、
前記他端は、前記第１受入口と前記第１排出口の並ぶ方向において、前記一端よりも前記第１排出口から離れて位置することを特徴とする、請求項３〜８のいずれか一項に記載の画像形成装置。
【請求項１０】
前記第１蓋は、前記第１受入口を閉鎖する閉鎖位置と、前記第１受入口を開放する開放位置との間を移動可能であり、
前記第１シャッタは、前記第１蓋が前記閉鎖位置にあるときに前記第１排出口を開放する排出位置と、前記第１蓋が前記開放位置にあるときに前記第１排出口を閉鎖する閉鎖位置との間を移動可能であることを特徴とする、請求項１に記載の画像形成装置。
【請求項１１】
前記第１トナー供給ユニットは、前記第１蓋の移動と前記第１シャッタの移動とをリンクさせるリンク機構を備えることを特徴とする、請求項１０に記載の画像形成装置。
【発明の詳細な説明】
【技術分野】
【０００１】
本発明は、画像形成装置に関する。
【背景技術】
【０００２】
従来、インクを噴射する噴射ヘッドと、噴射ヘッドに供給するインクを収容可能なインクタンクとを備えるインクジェット型の画像形成装置が知られている（例えば、特許文献１参照）。
【０００３】
インクタンクには、画像形成装置の外部からインクが直接補給される。このようなタンク補給方式の画像形成装置は、インクを収容するカートリッジの交換によりインクが補給されるカートリッジ方式の画像形成装置と比較して、ランニングコストの低減を図ることができる。
【先行技術文献】
【特許文献】
【０００４】
【特許文献１】特開２０１２−７１５８５号公報
【発明の概要】
【発明が解決しようとする課題】
【０００５】
本発明は、上記従来技術を更に発展させたものである。
【０００６】
本開示の目的は、特許文献１に記載のインクジェット型の画像形成装置のように、カートリッジ方式ではなくタンク補給方式を、電子写真方式の画像形成装置に適用することである。
【課題を解決するための手段】
【０００７】
本発明の画像形成装置は、第１現像ユニットと、第１トナー供給ユニットとを備える。第１現像ユニットは、第１現像ローラを有する。第１トナー供給ユニットは、第１現像ユニットにトナーを供給するように構成される。第１トナー供給ユニットは、第１収容容器と、第１蓋と、第１シャッタとを備える。第１収容容器は、トナーを収容するための第１収容容器であって、トナーを受け入れるための第１受入口と、トナーを排出するための第１排出口とを有する。第１蓋は、第１受入口を閉鎖する。第１シャッタは、第１蓋が第１受入口を閉鎖するときに、第１排出口を開放し、第１蓋が第１受入口を開放するときに、第１排出口を閉鎖する。
【０００８】
このような構成によれば、インクジェット型の画像形成装置のように、カートリッジ方式ではなくタンク補給方式を、電子写真方式の画像形成装置に適用することができる。
【発明の効果】
【０００９】
本発明の画像形成装置によれば、インクジェット型の画像形成装置のように、カートリッジ方式ではなくタンク補給方式を、電子写真方式の画像形成装置に適用することができる。
【図面の簡単な説明】
【００１０】
【図１】図１は、本発明の画像形成装置の中央断面図を示す。
【図２】図２は、図１に示す画像形成装置の断面図であって、プロセスユニットが装着位置にある状態を示す。
【図３】図２は、図１に示す画像形成装置の断面図であって、プロセスユニットが引出位置にある状態を示す。
【図４】図４は、図１に示す画像形成装置が備える複数のトナー供給ユニットの断面図である。
【図５】図５は、図４に示す第１トナー供給ユニットおよび第１現像ユニットの断面図であって、第１収容容器が第１位置にある状態を示す。なお、第１撹拌部材は、省略されている。
【図６】図６は、図４に示す第１トナー供給ユニットおよび第１現像ユニットの断面図であって、第１収容容器が第２位置にある状態を示す。なお、第１撹拌部材は、省略されている。
【図７】図７は、図４に示す第１カップリングの正面図である。なお、第２カップリングが備える複数の第２突起を仮想線にて示す。
【図８】図８は、図４に示す第１カップリングおよび第２カップリングが噛み合った状態を示す斜視図である。なお、第２カップリングを仮想線にて示す。
【図９】図９は、第２実施形態の画像形成装置の断面図を示す。
【図１０】図１０は、第３実施形態の画像形成装置の断面図であって、第１蓋が閉鎖位置にあり、第１シャッタが排出位置にある状態を示す。
【図１１】図１１は、図１０に示す画像形成装置の断面図であって、第１蓋が開放位置にあり、第１シャッタが閉鎖位置にある状態を示す。
【発明を実施するための形態】
【００１１】
１．画像形成装置１の概略
図１〜図３を参照して、画像形成装置１の概略について説明する。
【００１２】
図１に示すように、画像形成装置１は、本体ケーシング５と、プロセスユニット４と、レーザースキャンユニット７と、ベルトユニット９と、二次転写ローラ１０と、定着器８と、給紙トレイ１１と、給紙部１２とを備える。
【００１３】
１．１  本体ケーシング５
本体ケーシング５は、画像形成装置１の外装を構成する。本体ケーシング５は、第１開口５Ａと、第１開口５Ａに連通する第１内部空間５Ｂと、第１カバー５０とを有する。第１開口５Ａは、プロセスユニット４が本体ケーシング５に装着されるときに使用される。第１内部空間５Ｂは、プロセスユニット４と、レーザースキャンユニット７と、ベルトユニット９と、二次転写ローラ１０と、定着器８と、給紙トレイ１１と、給紙部１２とを収容する。第１カバー５０は、第１開口５Ａを開放する開位置（図３参照）と、第１開口５Ａを閉鎖する閉位置との間を回動可能である。第１カバー５０は、第１方向に延びる軸線について回動可能である。第１方向は、後述する第１現像ユニット２Ｋと後述する第１トナー供給ユニット３Ｋとが並ぶ方向である（図５参照）。
【００１４】
１．２  プロセスユニット４
プロセスユニット４は、第１開口５Ａを介して、本体ケーシング５内に位置する装着位置（図２参照）と、本体ケーシング５の外に位置する引出位置（図３参照）との間を移動可能である。プロセスユニット４は、複数の感光ドラム４０Ｋ、４０Ｙ、４０Ｍ、４０Ｃと、複数の帯電ローラ４１Ｋ、４１Ｙ、４１Ｍ、４１Ｃと、複数の現像ユニット２Ｋ、２Ｙ、２Ｍ、２Ｃとを備える。
【００１５】
複数の感光ドラム４０Ｋ、４０Ｙ、４０Ｍ、４０Ｃは、それぞれ、表面にトナー像が形成されるように構成される。複数の感光ドラム４０Ｋ、４０Ｙ、４０Ｍ、４０Ｃは、所定方向において互いに間隔を空けて並ぶ。複数の感光ドラムの並び方向は、後述する複数のトナー供給ユニット３の並び方向と同じであって、かつ、後述する第１撹拌部材３３Ｋの回転軸線の延びる方向と同じである。感光ドラムの並び方向は、上下方向および第１方向の両方と交差する。好ましくは、感光ドラムの並び方向は、上下方向および第１方向の両方と直交する。複数の感光ドラム４０Ｋ、４０Ｙ、４０Ｍ、４０Ｃは、それぞれ、同じ構造を有する。そのため、以下の説明では、感光ドラム４０Ｋについて説明し、感光ドラム４０Ｙ、４０Ｍ、４０Ｃについての説明を省略する。感光ドラム４０Ｋは、第１方向に延びる軸線について回転可能である。
【００１６】
複数の帯電ローラ４１Ｋ、４１Ｙ、４１Ｍ、４１Ｃは、それぞれ、対応する感光ドラム４０の表面を帯電するように構成される。複数の帯電ローラ４１Ｋ、４１Ｙ、４１Ｍ、４１Ｃは、それぞれ、同じ構造を有する。そのため、以下の説明では、帯電ローラ４１Ｋについて説明し、帯電ローラ４１Ｙ、４１Ｍ、４１Ｃについての説明を省略する。帯電ローラ４１Ｋは、対応する感光ドラム４０Ｋの周面に接触する。
【００１７】
複数の現像ユニット２Ｋ、２Ｙ、２Ｍ、２Ｃは、それぞれ、対応する感光ドラム４０にトナーを供給するように構成される。複数の現像ユニット２Ｋ、２Ｙ、２Ｍ、２Ｃは、感光ドラムの並び方向において互いに間隔を空けて並ぶ。複数の現像ユニット２Ｋ、２Ｙ、２Ｍ、２Ｃは、具体的には、第１現像ユニット２Ｋと、第２現像ユニット２Ｙと、第３現像ユニット２Ｍと、第４現像ユニット２Ｃとである。言い換えれば、画像形成装置１は、第１現像ユニット２Ｋと、第２現像ユニット２Ｙと、第３現像ユニット２Ｍと、第４現像ユニット２Ｃとを備える。第１現像ユニット２Ｋは、感光ドラム４０Ｋに対応する。第１現像ユニット２Ｋは、第１現像ローラ２０Ｋを有する。第１現像ローラ２０Ｋは、第１方向に延びる回転軸線について回転可能である。第１現像ローラ２０Ｋは、対応する感光ドラム４０Ｋの周面に接触する。第２現像ユニット２Ｙは、現像ユニットの並び方向において、第１現像ユニット２Ｋと隣り合うように並ぶ。第２現像ユニット２Ｙは、第１現像ユニット２Ｋと同じ構造を有する。つまり、第２現像ユニット２Ｙは、第１現像ローラ２０Ｋと同じ構造を有する第２現像ローラ２０Ｙを有する。第２現像ローラ２０Ｙは、対応する感光ドラム４０Ｙの周面に接触する。第３現像ユニット２Ｍは、第２現像ユニット２Ｙに対して第１現像ユニット２Ｋの反対側に位置する。第４現像ユニット２Ｃは、第３現像ユニット２Ｍに対して第２現像ユニット２Ｙの反対側に位置する。第３現像ユニット２Ｍおよび第４現像ユニット２Ｃは、それぞれ、第１現像ユニット２Ｋと同じ構造を有する。
【００１８】
１．３  レーザースキャンユニット７
レーザースキャンユニット７は、複数の感光ドラム４０Ｋ、４０Ｙ、４０Ｍ、４０Ｃを露光するように構成される。
【００１９】
１．４  ベルトユニット９および二次転写ローラ１０
ベルトユニット９は、複数の感光ドラム４０Ｋ、４０Ｙ、４０Ｍ、４０Ｃからトナー像が転写されるように構成される。ベルトユニット９は、装着位置に位置するプロセスユニット４に対して、レーザースキャンユニット７の反対側に位置する。ベルトユニット９は、第１ローラ９０と、第２ローラ９１と、中間転写ベルト９３と、複数の一次転写ローラ９４Ｋ、９４Ｙ、９４Ｍ、９４Ｃとを備える。
【００２０】
第１ローラ９０および第２ローラ９１は、感光ドラムの並び方向に互いに間隔を空けて位置する。中間転写ベルト９３は、エンドレスベルトである。中間転写ベルト９３は、第１ローラ９０および第２ローラ９１の周りに掛けられる。中間転写ベルト９３は、第１ローラ９０および第２ローラ９１の周りを移動可能である。中間転写ベルト９３は、複数の感光ドラム４０Ｋ、４０Ｙ、４０Ｍ、４０Ｃと接触する。複数の一次転写ローラ９４Ｋ、９４Ｙ、９４Ｍ、９４Ｃは、それぞれ、対応する感光ドラム４０から中間転写ベルト９３へトナー像を転写するように構成される。複数の一次転写ローラ９４Ｋ、９４Ｙ、９４Ｍ、９４Ｃは、中間転写ベルト９３の内側に位置する。複数の一次転写ローラ９４Ｋ、９４Ｙ、９４Ｍ、９４Ｃは、第１ローラ９０と第２ローラ９１との間において、感光ドラムの並び方向に間隔を空けて並ぶ。複数の一次転写ローラ９４Ｋ、９４Ｙ、９４Ｍ、９４Ｃは、それぞれ、同じ構造を有する。そのため、以下の説明では、一次転写ローラ９４Ｋについて説明し、一次転写ローラ９４Ｙ、９４Ｍ、９４Ｃについての説明を省略する。一次転写ローラ９４Ｋは、中間転写ベルト９３に対して、対応する感光ドラム４０Ｋの反対側に位置する。二次転写ローラ１０は、中間転写ベルト９３に転写されたトナー像を用紙に転写するように構成される。二次転写ローラ１０は、感光ドラムの並び方向において、第１ローラ９０と並ぶ。二次転写ローラ１０は、中間転写ベルト９３に接触する。中間転写ベルト９３は、二次転写ローラ１０と第１ローラ９０との間を通る。
【００２１】
１．５  定着器８
定着器８は、トナー像が転写された用紙を加熱および加圧することにより、用紙にトナー像を定着させるように構成される。定着器８は、二次転写ローラ１０の上に位置する。
【００２２】
１．６  給紙トレイ１１および給紙部１２
給紙トレイ１１は、用紙を収容するように構成される。給紙トレイ１１は、レーザースキャンユニット７に対して、装着位置に位置するプロセスユニット４の反対側に位置する。給紙部１２は、給紙トレイ１１内の用紙を、第１ローラ９０と二次転写ローラ１０との間に供給するように構成される。
【００２３】
２．本体ケーシング５の詳細
図４に示すように、画像形成装置１は、複数のトナー供給ユニット３Ｋ、３Ｙ、３Ｍ、３Ｃをさらに備える。複数のトナー供給ユニット３Ｋ、３Ｙ、３Ｍ、３Ｃは、本体ケーシング５が有する第２内部空間５Ｃに収容される。具体的には、図５に示すように、本体ケーシング５は、第２内部空間５Ｃと、隔壁５２と、サイドフレーム５３とを備える。第２内部空間５Ｃは、第１方向において第１内部空間５Ｂと並ぶ。隔壁５２は、第１内部空間５Ｂと第２内部空間５Ｃとを仕切る。隔壁５２は、上下方向に延びる。サイドフレーム５３は、隔壁５２に対して第１内部空間５Ｂの反対側に位置する。サイドフレーム５３は、第１方向において隔壁５２に対して間隔を空けて位置する。第２内部空間５Ｃは、隔壁５２とサイドフレーム５３との間に位置する。サイドフレーム５３は、上下方向に延びる。サイドフレーム５３は、第２開口５Ｄと、第２カバー５１とを有する。第２開口５Ｄは、第２内部空間５Ｃに連通する。第２開口５Ｄは、詳しくは後述するが、トナー供給ユニット３に対してトナーが補給されるときに使用される（図６参照）。第２カバー５１は、第１収容容器３０Ｋ（後述）に固定される。第２カバー５１は、第１収容容器３０Ｋ（後述）の回動に伴なって第２開口５Ｄを開閉する。
【００２４】
３．複数のトナー供給ユニット３Ｋ、３Ｙ、３Ｍ、３Ｃの詳細
図４に示すように、複数のトナー供給ユニット３Ｋ、３Ｙ、３Ｍ、３Ｃは、具体的には、第１トナー供給ユニット３Ｋと、第２トナー供給ユニット３Ｙと、第３トナー供給ユニット３Ｍと、第４トナー供給ユニット３Ｃとである。第１トナー供給ユニット３Ｋと、第２トナー供給ユニット３Ｙと、第３トナー供給ユニット３Ｍと、第４トナー供給ユニット３Ｃとは、感光ドラムの並び方向に互いに間隔を空けて並ぶ。第１トナー供給ユニット３Ｋおよび第２トナー供給ユニット３Ｙと、第３トナー供給ユニット３Ｍおよび第４トナー供給ユニット３Ｃとは、同じ構造を有する。そのため、以下の説明では、第１トナー供給ユニット３Ｋおよび第２トナー供給ユニット３Ｙについて説明し、第３トナー供給ユニット３Ｍおよび第４トナー供給ユニット３Ｃについての説明を省略する。
【００２５】
３．１  第１トナー供給ユニット３Ｋ
第１トナー供給ユニット３Ｋは、第１現像ユニット２Ｋにトナーを供給するように構成される（図５参照）。第１トナー供給ユニット３Ｋは、第１現像ユニット２Ｋと第１方向に並ぶ（図５参照）。第１トナー供給ユニット３Ｋは、第１容器支持部３８Ｋと、第１収容容器３０Ｋと、第１蓋３１Ｋと、第１シャッタ３２Ｋと、第１搬送部３７Ｋと、第１撹拌部材３３Ｋとを備える。
【００２６】
３．１．１  第１容器支持部３８Ｋ
第１容器支持部３８Ｋは、第１収容容器３０Ｋを収容する。第１容器支持部３８Ｋは、本体ケーシング５に固定される。具体的には、第１容器支持部３８Ｋは、隔壁５２に固定される。第１容器支持部３８Ｋは、第１壁３８Ａと、第２壁３８Ｂと、第３壁３８Ｃとを備える。第１壁３８Ａおよび第２壁３８Ｂは、トナー供給ユニットの並び方向において互いに間隔を空けて位置する。第１壁３８Ａは、第１収容容器３０Ｋに対して第２壁３８Ｂの反対側に位置する。第１壁３８Ａおよび第２壁３８Ｂは、それぞれ、上下方向に延びる。第１壁３８Ａは、詳しくは後述するが凹部３８Ｄを有する。第２壁３８Ｂは、詳しくは後述するが穴３８Ｅを有する。第３壁３８Ｃは、第１壁３８Ａの上端と第２壁３８Ｂの上端とを連結する。第１シャッタ３２Ｋは、第１壁３８Ａの下端と第２壁３８Ｂの下端とを連結する。
【００２７】
３．１．２  第１収容容器３０Ｋ
第１収容容器３０Ｋは、トナーを収容する。第１収容容器３０Ｋは、トナーを受け入れるための第１受入口３５Ｋと、トナーを排出するための第１排出口３６Ｋとを有する。第１収容容器３０Ｋは、第２方向に延びる。第２方向は、第１方向およびトナー供給ユニットの並び方向の両方と交差する。第１収容容器３０Ｋは、第２方向において、一端に位置する口部３０Ａと、他端に位置する底部３０Ｂとを有する。口部３０Ａは、円筒形状を有する。口部３０Ａは、第１受入口３５Ｋを有する。底部３０Ｂは、半球形状を有する。底部３０Ｂは、第１排出口３６Ｋを有する。第１受入口３５Ｋおよび第１排出口３６Ｋは、第２方向に並ぶ。
【００２８】
３．１．３  第１蓋３１Ｋ
第１蓋３１Ｋは、第１受入口３５Ｋを閉鎖する。第１蓋３１Ｋは、第１収容容器３０Ｋに対して第１シャッタ３２Ｋの反対側に位置する。第１蓋３１Ｋは、第３壁３８Ｃに固定される。第１蓋３１Ｋは、第３壁３８Ｃと第１収容容器３０Ｋとの間に位置する。第１蓋３１Ｋは、口部３０Ａと接触することにより、第１受入口３５Ｋを閉鎖する。第１蓋３１Ｋは、弾性材料（例えば、ゴム、スポンジなど）から形成される。
【００２９】
３．１．４  第１シャッタ３２Ｋ
第１シャッタ３２Ｋは、第１蓋３１Ｋが第１受入口３５Ｋを閉鎖するときに、第１排出口３６Ｋを開放する。第１シャッタ３２Ｋは、第１蓋３１Ｋが第１受入口３５Ｋを開放するときに、第１排出口３６Ｋを閉鎖する（図６参照）。第１シャッタ３２Ｋは、第１収容容器３０Ｋに対して第１蓋３１Ｋの反対側に位置する。第１シャッタ３２Ｋは、底部３０Ｂと接触する。第１シャッタ３２Ｋは、底部３０Ｂに沿う。第１シャッタ３２Ｋは、半球形状を有する。第１シャッタ３２Ｋは、シャッタ開口３２Ａを有する。シャッタ開口３２Ａは、第１蓋３１Ｋが第１受入口３５Ｋを閉鎖する状態において、第１排出口３６Ｋと連通する。
【００３０】
３．１．５  第１搬送部３７Ｋ
図５に示すように、第１搬送部３７Ｋは、第１収容容器３０Ｋから排出されたトナーを、第１現像ユニット２Ｋに搬送するように構成される。第１搬送部３７Ｋは、第１シャッタ３２Ｋに対して第１収容容器３０Ｋの反対側に位置する。第１搬送部３７Ｋは、隔壁５２および第１シャッタ３２Ｋに固定される。第１搬送部３７Ｋは、搬送管３７Ａと、オーガ３７Ｂとを備える。搬送管３７Ａは、第１方向に延びる。搬送管３７Ａは、第１方向において一端と他端とを有する。搬送管３７Ａの一端は、第１方向において搬送管３７Ａの他端から離れて位置する。搬送管３７Ａの一端は、第１シャッタ３２Ｋに固定される。搬送管３７Ａの一端は、受入穴３７Ｃを有する。受入穴３７Ｃは、シャッタ開口３２Ａと連通する。搬送管３７Ａの他端は、隔壁５２に固定される。搬送管３７Ａの他端は、第１方向において隔壁５２を通過して、第１内部空間５Ｂ内に位置する。搬送管３７Ａの他端は、排出穴３７Ｄを有する。搬送管３７Ａの他端は、プロセスユニット４が装着位置に位置する状態において、第１現像ユニット２Ｋに接続される。第１現像ユニット２Ｋは、搬送管３７Ａの他端に接続可能な接続部２１を有する（図２参照）。接続部２１は、排出穴３７Ｄからのトナーを受け入れ可能である。プロセスユニット４は、装着位置から引出位置に移動するときに、まず、下方に移動して、搬送管３７Ａと接続部２１との接続を解除し、その後、引出位置に引き出される（図３参照）。オーガ３７Ｂは、搬送管３７Ａの内部に位置する。オーガ３７Ｂは、第１方向に延びる。オーガ３７Ｂは、トナーを受入穴３７Ｃから排出穴３７Ｄに向かうように搬送する。
【００３１】
３．１．６  第１撹拌部材３３Ｋ
図４に示すように、第１撹拌部材３３Ｋは、第１収容容器３０Ｋ内に配置される。第１撹拌部材３３Ｋは、第１収容容器３０Ｋ内のトナーを撹拌可能である。第１撹拌部材３３Ｋは、トナー供給ユニットの並び方向に延びる軸線について回転可能である。これにより、第１撹拌部材３３Ｋは、第１収容容器３０Ｋ内のトナーをほぐすことができ、トナーの流動性を確保することができる。第１撹拌部材３３Ｋは、ワイヤ形状を有している。そのため、第１撹拌部材３３Ｋが撹拌翼を備える場合と比較して、第１撹拌部材３３Ｋが、第１収容容器３０Ｋに対するトナーの補給の邪魔になることを抑制できる。第１撹拌部材３３Ｋは、第１部分３３Ａと、第２部分３３Ｂと、第３部分３３Ｃとを有する。第１部分３３Ａは、第１撹拌部材の回転軸線の延びる方向において、第１撹拌部材３３Ｋの一端に位置する。第２部分３３Ｂは、第１撹拌部材の回転軸線の延びる方向において第１撹拌部材３３Ｋの他端に位置する。第２部分３３Ｂは、第１撹拌部材の回転軸線の延びる方向において第１部分３３Ａから離れて位置する。第３部分３３Ｃは、第１部分３３Ａと第２部分３３Ｂとの間に位置する。第１部分３３Ａおよび第２部分３３Ｂは、それぞれ、第１撹拌部材の回転軸線の延びる方向に沿って延びる。第１部分３３Ａおよび第２部分３３Ｂは、それぞれ、第１収容容器３０Ｋに回転可能に支持される。第３部分３３Ｃは、第１収容容器３０Ｋの底部３０Ｂ内に位置する。第３部分３３Ｃは、底部３０Ｂに沿う。第３部分３３Ｃは、半円弧形状を有する。
【００３２】
３．１．７  第１収容容器３０Ｋの回動
第１収容容器３０Ｋは、第１蓋３１Ｋが第１受入口３５Ｋを閉鎖する第１位置（図５参照）と、第１蓋３１Ｋが第１受入口３５Ｋを開放する第２位置（図６参照）との間を、第１撹拌部材３３Ｋの回転軸線Ａについて回動可能である。第１収容容器３０Ｋは、第１突起３０Ｃと、第２突起３０Ｄとをさらに備える。第１突起３０Ｃおよび第２突起３０Ｄは、それぞれ、第１収容容器３０Ｋの外面に位置する。第１突起３０Ｃは、第１撹拌部材の回転軸線の延びる方向において、第１収容容器３０Ｋの内部空間に対して第２突起３０Ｄの反対側に位置する。第１突起３０Ｃおよび第２突起３０Ｄは、それぞれ、第１収容容器３０Ｋの外面から突出する。第１突起３０Ｃおよび第２突起３０Ｄは、それぞれ、第１撹拌部材の回転軸線の延びる方向に延びる。第１突起３０Ｃおよび第２突起３０Ｄは、それぞれ、円柱形状を有する。第１突起３０Ｃの軸線は、第１撹拌部材３３Ｋの回転軸線Ａ（図５参照）と略一致する。第１撹拌部材３３Ｋの第１部分３３Ａは、第１突起３０Ｃの軸線に沿って第１突起３０Ｃを貫通する。第１突起３０Ｃは、第１壁３８Ａが有する凹部３８Ｄに嵌る。凹部３８Ｄは、第１壁３８Ａにおける第１収容容器３０Ｋと向かい合う面に位置する。凹部３８Ｄは、円形状を有する。凹部３８Ｄの径は、第１突起３０Ｃの外径と略同じである。第２突起３０Ｄの軸線は、第１撹拌部材３３Ｋの回転軸線Ａ（図５参照）と略一致する。第１撹拌部材３３Ｋの第２部分３３Ｂは、第２突起３０Ｄの軸線に沿って第２突起３０Ｄを貫通する。第２突起３０Ｄは、第２壁３８Ｂが有する穴３８Ｅに嵌る。穴３８Ｅは、円形状を有する。穴３８Ｅの径は、第２突起３０Ｄの外径と略同じである。これにより、第１収容容器３０Ｋは、第１容器支持部３８Ｋに対して、第１突起３０Ｃおよび第２突起３０Ｄを回動支点として第１位置（図５参照）と第２位置（図６参照）とに移動可能である。
【００３３】
図５に示すように、第１収容容器３０Ｋが第１位置にあるときに、第１収容容器３０Ｋは、第２内部空間５Ｃ内に位置する。口部３０Ａは、第１収容容器３０Ｋが第１位置にあるときに、第１蓋３１Ｋと接触する。これにより、第１蓋３１Ｋは、第１受入口３５Ｋを閉鎖する。第１シャッタ３２Ｋは、第１収容容器３０Ｋが第１位置にあるときに第１排出口３６Ｋを開放する。具体的には、第１シャッタ３２Ｋのシャッタ開口３２Ａは、第１収容容器３０Ｋが第１位置にあるときに第１排出口３６Ｋと連通する。これにより、第１シャッタ３２Ｋは、第１排出口３６Ｋを開放する。図６に示すように、第１収容容器３０Ｋが第２位置にあるときに、第１収容容器３０Ｋの口部３０Ａは、第２開口５Ｄを介して、第２内部空間５Ｃ外に位置する。口部３０Ａは、第１収容容器３０Ｋが第２位置にあるときに、第１蓋３１Ｋとの接触が解除される。これにより、第１蓋３１Ｋは、第１受入口３５Ｋを開放する。第１シャッタ３２Ｋは、第１収容容器３０Ｋが第２位置にあるときに第１排出口３６Ｋを閉鎖する。具体的には、第１排出口３６Ｋは、第１収容容器３０Ｋの回動に伴なって、シャッタ開口３２Ａからずれる。第１排出口３６Ｋは、第１シャッタ３２Ｋにおけるシャッタ開口３２Ａ以外の部分と向かい合う。これにより、第１シャッタ３２Ｋは、第１排出口３６Ｋを閉鎖する。
【００３４】
第１収容容器３０Ｋが第２位置にあるときに、ユーザは、第１収容容器３０Ｋにトナーを補給する。具体的には、ユーザは、トナーを収容するトナーボトル１００を第１受入口３５Ｋに挿入する。これにより、トナーが、トナーボトル１００から第１収容容器３０Ｋへ流入する。このとき、第１シャッタ３２Ｋは、第１排出口３６Ｋを閉鎖している。そのため、トナーが第１収容容器３０Ｋに流入するときに、トナーが、第１排出口３６Ｋを通過して、第１搬送部３７Ｋおよび第１現像ユニット２Ｋに供給されることを禁止できる。トナーの補給が完了すると、ユーザは、第１収容容器３０Ｋを第２位置から第１位置（図５参照）に回動させる。
【００３５】
３．２  第２トナー供給ユニット３Ｙ
図４に示すように、第２トナー供給ユニット３Ｙは、第１撹拌部材の回転軸線の延びる方向において、第１トナー供給ユニット３Ｋと隣り合うように並ぶ。第２トナー供給ユニット３Ｙは、第２現像ユニット２Ｙ（図１参照）にトナーを供給するように構成される。第２トナー供給ユニット３Ｙは、第２容器支持部３８Ｙと、第２収容容器３０Ｙと、第２蓋３１Ｙと、第２シャッタ３２Ｙと、第２搬送部３７Ｙと、第２撹拌部材３３Ｙとを備える。第２容器支持部３８Ｙは、第２収容容器３０Ｙを収容する。第２容器支持部３８Ｙは、本体ケーシング５に固定される。具体的には、第２容器支持部３８Ｙは、隔壁５２に固定される。第１容器支持部３８Ｋと第２容器支持部３８Ｙとは一体である。第２容器支持部３８Ｙは、第１壁３８Ａに代えて第１容器支持部３８Ｋの第２壁３８Ｂを共有することを除いて、第１容器支持部３８Ｋと同じ構造を有する。第２収容容器３０Ｙは、第１収容容器３０Ｋと同じ構造を有する。第２収容容器３０Ｙは、トナーを収容する。第２収容容器３０Ｙは、トナーを受け入れるための第２受入口３５Ｙと、トナーを排出するための第２排出口３６Ｙとを有する。第２蓋３１Ｙは、第１蓋３１Ｋと同じ構造を有する。第２蓋３１Ｙは、第２受入口３５Ｙを閉鎖する。第２シャッタ３２Ｙは、第１シャッタ３２Ｋと同じ構造を有する。第２シャッタ３２Ｙは、第２蓋３１Ｙが第２受入口３５Ｙを閉鎖するときに、第２排出口３６Ｙを開放し、第２蓋３１Ｙが第２受入口３５Ｙを開放するときに、第２排出口３６Ｙを閉鎖する。第２搬送部３７Ｙは、第１搬送部３７Ｋと同じ構造を有する。第２撹拌部材３３Ｙは、第１撹拌部材３３Ｋと同じ構造を有する。第２撹拌部材３３Ｙは、第２収容容器３０Ｙ内に配置される。第２撹拌部材３３Ｙは、第２収容容器３０Ｙ内のトナーを撹拌可能である。第２収容容器３０Ｙは、第２蓋３１Ｙが第２受入口３５Ｙを閉鎖する第１位置と、第２蓋３１Ｙが第２受入口３５Ｙを開放する第２位置との間を、第２撹拌部材の回転軸線について回動可能である。
【００３６】
３．３  第１カップリング３４および第２カップリング３９
第１撹拌部材３３Ｋと第２撹拌部材３３Ｙとは、駆動力が伝達可能となるように互いに連結されている。第１撹拌部材３３Ｋは、第１カップリング３４を備える。第２撹拌部材３３Ｙは、第１カップリング３４と連結可能な第２カップリング３９を備える。第１カップリング３４は、第１収容容器３０Ｋの第２突起３０Ｄに対して、第１撹拌部材３３Ｋの第３部分３３Ｃの反対側に位置する。第１カップリング３４は、第１撹拌部材３３Ｋの第２部分３３Ｂに固定される。第１カップリング３４は、第２壁３８Ｂの穴３８Ｅ内に配置される。第２カップリング３９は、第２収容容器３０Ｙの第１突起３０Ｃに対して、第２撹拌部材３３Ｙの第３部分３３Ｃの反対側に位置する。第２カップリング３９は、第２撹拌部材３３Ｙの第１部分３３Ａに固定される。第２カップリング３９は、穴３８Ｅ内に配置される。第２カップリング３９は、穴３８Ｅ内において、第１カップリング３４と噛み合う。詳しくは、図７および図８に示すように、第１カップリング３４は、複数の第１突起３４Ａを有する。複数の第１突起３４Ａは、第１撹拌部材の回転方向において互いに間隔を空けて位置する。第２カップリング３９は、複数の第２突起３９Ａを有する。複数の第２突起３９Ａは、第２撹拌部材の回転方向において互いに間隔を空けて位置する。第２突起３９Ａは、複数の第１突起３４Ａのうち互いに隣り合う第１突起３４Ａの間に配置される。そのため、第１撹拌部材３３Ｋが回転すると、第１突起３４Ａが第２突起３９Ａと接触する。これによって、第１撹拌部材３３Ｋから第２撹拌部材３３Ｙに駆動力が伝達される。
【００３７】
また、第１カップリング３４および第２カップリング３９は、互いに噛み合った状態において、第２収容容器３０Ｙに対する第１収容容器３０Ｋの相対移動を許容する。第１撹拌部材３３Ｋが停止した状態において、互いに隣り合う第１突起３４Ａと第２突起３９Ａとは、第１撹拌部材の回転方向に間隔を空けて位置する。そのため、第１カップリング３４と第２カップリング３９とは、互いに隣り合う第１突起３４Ａと第２突起３９Ａとの間の間隔分、相対回転可能である。これによって、第１カップリング３４と第２カップリング３９とが噛み合った状態において、第１収容容器３０Ｋおよび第２収容容器３０Ｙのいずれか一方を第１位置に維持したまま、第１収容容器３０Ｋおよび第２収容容器３０Ｙのいずれか他方を第１位置から第２位置に回動することができる。
【００３８】
さらに、図４に示すように、第１撹拌部材３３Ｋは、外部からの駆動力を受けるように構成されている。第１撹拌部材３３Ｋは、第２カップリング３９と同じ構造を有する第３カップリング３９Ｂを備える。第３カップリング３９Ｂは、第１収容容器３０Ｋの第１突起３０Ｃに対して、第１撹拌部材３３Ｋの第３部分３３Ｃの反対側に位置する。第３カップリング３９Ｂは、第１撹拌部材３３Ｋの第１部分３３Ａに固定される。第３カップリング３９Ｂは、第１壁３８Ａの凹部３８Ｄ内に配置される。また、第２撹拌部材３３Ｙは、第１撹拌部材３３Ｋから伝達された駆動力を、第３トナー供給ユニット３Ｍが備える第３撹拌部材に伝達するように構成される。第２撹拌部材３３Ｙは、第１カップリング３４と同じ構造を有する第４カップリング３４Ｂを備える。第４カップリング３４Ｂは、第２撹拌部材３３Ｙの第２部分３３Ｂに固定される。
【００３９】
３．４  制御装置１３、第１駆動入力部１５および複数の第２駆動入力部１４Ｋ、１４Ｙ、１４Ｍ、１４Ｃ
画像形成装置１は、第１撹拌部材３３Ｋに駆動力を入力可能であり、複数のオーガ３７Ｂに駆動力を入力可能である。画像形成装置１は、制御装置１３と、第１駆動入力部１５と、複数の第２駆動入力部１４Ｋ、１４Ｙ、１４Ｍ、１４Ｃとを備える。制御装置１３は、第１駆動入力部１５および複数の第２駆動入力部１４Ｋ、１４Ｙ、１４Ｍ、１４Ｃを制御可能である。制御装置１３は、第１駆動入力部１５および複数の第２駆動入力部１４Ｋ、１４Ｙ、１４Ｍ、１４Ｃのそれぞれと電気的に接続される。第１駆動入力部１５は、第１撹拌部材３３Ｋに駆動力を入力可能である。詳しくは、第１駆動入力部１５は、第１撹拌部材３３Ｋの第３カップリング３９Ｂに駆動力を入力可能である。第１駆動入力部１５は、公知のモータを含む。第１駆動入力部１５が、第１撹拌部材３３Ｋに駆動力を入力すると、駆動力は、第１撹拌部材３３Ｋ、第２撹拌部材３３Ｙ、第３トナー供給ユニット３Ｍが備える第３撹拌部材、および、第４トナー供給ユニット３Ｃが備える第４撹拌部材に順次伝達される。これにより、第１撹拌部材３３Ｋ、第２撹拌部材３３Ｙ、第３撹拌部材および第４撹拌部材を一括して駆動させることができる。第２駆動入力部１４Ｋは、第１トナー供給ユニット３Ｋが備えるオーガ３７Ｂに対応し、そのオーガ３７Ｂに駆動力を入力可能である。第２駆動入力部１４Ｙは、第２トナー供給ユニット３Ｙが備えるオーガ３７Ｂに対応し、そのオーガ３７Ｂに駆動力を入力可能である。第２駆動入力部１４Ｍは、第３トナー供給ユニット３Ｍが備えるオーガ３７Ｂに対応し、そのオーガ３７Ｂに駆動力を入力可能である。第２駆動入力部１４Ｃは、第４トナー供給ユニット３Ｃが備えるオーガ３７Ｂに対応し、そのオーガ３７Ｂに駆動力を入力可能である。複数の第２駆動入力部１４Ｋ、１４Ｙ、１４Ｍ、１４Ｃは、それぞれ、公知のモータを含む。これによって、複数のオーガ３７Ｂのそれぞれを独立して駆動させることができる。
【００４０】
４．作用効果
図５に示すように、インクジェット型の画像形成装置のように、カートリッジ方式ではなくタンク補給方式を、電子写真方式の画像形成装置１に適用することができる。
【００４１】
また、第１シャッタ３２Ｋは、第１蓋３１Ｋが第１受入口３５Ｋを閉鎖するときに、第１排出口３６Ｋを開放する。そのため、第１トナー供給ユニット３Ｋは、第１蓋３１Ｋが第１受入口３５Ｋを閉鎖するときに、第１排出口３６Ｋを通じて、トナーを第１現像ユニット２Ｋに供給することができる。また、図６に示すように、第１シャッタ３２Ｋは、第１蓋３１Ｋが第１受入口３５Ｋを開放するときに、第１排出口３６Ｋを閉鎖する。第１収容容器３０Ｋは、第１蓋３１Ｋが第１受入口３５Ｋを開放した状態で、第１受入口３５Ｋを通じてトナーを受け入れる。つまり、第１シャッタ３２Ｋは、第１収容容器３０Ｋにトナーが補給されるときに、第１排出口３６Ｋを閉鎖する。そのため、第１シャッタ３２Ｋは、トナーが第１排出口３６Ｋを通じて、第１搬送部３７Ｋおよび第１現像ユニット２Ｋに流入することを禁止する。その結果、第１収容容器３０Ｋにトナーを補給するときに、トナーが第１現像ユニット２Ｋから漏れることを抑制できる。
【００４２】
５．第２実施形態
図９を参照して、第２実施形態の画像形成装置２００について説明する。なお、第２実施形態の画像形成装置２００において、上記した第１実施形態で説明した部材と同様の部材には同様の符号を付し、その説明を省略する。
【００４３】
画像形成装置２００では、第１収容容器３０Ｋは、第１受入口３５Ｋを有する口部３０Ａと、第１排出口３６Ｋを有する底部３０Ｂとを有する。底部３０Ｂは、第１撹拌部材３３Ｋの回転軸線Ａに対して口部３０Ａと反対側に位置する。第１受入口３５Ｋと第１排出口３６Ｋの並ぶ第２方向において、口部３０Ａは一端部であり、底部３０Ｂは他端部である。口部３０Ａの端面は、第１方向と交差するように傾斜している。口部３０Ａは、第１収容容器３０Ｋが第１位置に位置する場合に、第１方向における一端３０１と、第１方向における他端３０２とを有する。他端３０２は、第１方向において第１受入口３５Ｋに対して一端３０１の反対側に位置する。他端３０２は、第１方向において一端３０１よりも第１現像ユニット２Ｋから離れて位置する。他端３０２は、第２方向において、一端３０１よりも第１排出口３６Ｋから離れて位置する。また、第１蓋３１Ｋの下面は、口部３０Ａの端面に沿うように傾斜している。第１蓋３１Ｋは、第１方向における一端３１１と、第１方向における他端３１２とを有する。他端３１２は、第１方向において一端３１１よりも第１現像ユニット２Ｋから離れて位置する。他端３１２は、第２方向において、一端３１１よりも第１排出口３６Ｋから離れて位置する。このような第２実施形態では、口部３０Ａの端面は、他端３０２が一端３０１よりも第１排出口３６Ｋから離れるように傾斜している。また、第１蓋３１Ｋの下面は、他端３１２が一端３１１よりも第１排出口３６Ｋから離れるように傾斜している。そのため、第１収容容器３０Ｋを第１位置と第２位置とにより円滑に回動させることができる。
【００４４】
また、第１収容容器３０Ｋが第１位置に位置する状態において、口部３０Ａが第１蓋３１Ｋの傾斜する下面に接触する。この状態において、第１収容容器３０Ｋは、第１蓋３１Ｋの弾性力により、第１位置から第２位置に向かって押圧される。そのため、画像形成装置２００では、第１トナー供給ユニット３Ｋは、第１収容容器３０Ｋの移動をロックするロック部３２０と、ばね３２４とを、さらに備える。ロック部３２０は、第１収容容器３０Ｋの移動をロックするロック位置と、第１収容容器３０Ｋに対するロックを解除するロック解除位置（仮想線にて示す。）との間を移動可能である。ロック部３２０は、ロック位置とロック解除位置との間を、第１撹拌部材の軸線方向に沿って延びる軸線について回動可能である。ロック部３２０は、第２カバー５１に固定される。ロック部３２０は、シャフト３２１と、フック３２２と、アーム３２３とを備える。シャフト３２１は、ロック部３２０の回動軸線に沿って延びる。シャフト３２１は、第２カバー５１に回転可能に支持される。フック３２２は、第３壁３８Ｃに対して下側に位置する。フック３２２は、第１方向に延びる。フック３２２は、シャフト３２１に固定される。アーム３２３は、第１方向において第２カバー５１に対して間隔を空けて位置する。アーム３２３は、上下方向に延びる。アーム３２３は、シャフト３２１に固定される。ばね３２４は、ロック部３２０がロック位置に向かうように、ロック部３２０を押圧する。ばね３２４は、アーム３２３と第２カバー５１との間に位置する。ばね３２４は、第１方向に延びる。ばね３２４は、アーム３２３と第２カバー５１とに挟まれた状態で、第１方向に圧縮される。ばね３２４は、圧縮された状態で、弾性力によりアーム３２３を押圧する。これにより、ロック部３２０は、ロック位置に位置する。ロック部３２０がロック位置に位置する状態において、フック３２２は、第３壁３８Ｃに形成される穴３８１に嵌る。第１収容容器３０Ｋを第１位置から第２位置に回動させるには、ロック部３２０を、ばね３２４に抗してロック位置からロック解除位置に回動する。ロック部３２０がロック解除位置に位置する状態において、フック３２２は、第３壁３８Ｃに形成される穴３８１から離脱する。これにより、第１収容容器３０Ｋの第１位置から第２位置への回動が許容される。このような第２実施形態によっても、第１実施形態と同様の作用効果を奏することができる。
【００４５】
６．第３実施形態
図１０および図１１を参照して、第３実施形態の画像形成装置３００について説明する。なお、第３実施形態の画像形成装置３００において、上記した第１実施形態で説明した部材と同様の部材には同様の符号を付し、その説明を省略する。
【００４６】
画像形成装置３００では、第１蓋３１Ｋは、第１受入口３５Ｋを閉鎖する閉鎖位置（図１０参照）と、第１受入口３５Ｋを開放する開放位置（図１１参照）との間を移動可能である。画像形成装置３００では、第３壁３８Ｃは、隔壁５２に対して回動可能に支持される。第１蓋３１Ｋは、第３壁３８Ｃの回動に伴なって、閉鎖位置と開放位置との間を移動する。また、第１トナー供給ユニット３Ｋは、第１シャッタ３２５Ｋと、リンク機構３４０とをさらに備える。なお、画像形成装置３００では、第１収容容器３０Ｋは回動せず、第１シャッタ３２Ｋはシャッタとして機能しない。そのため、以下において、第１シャッタ３２Ｋを壁部３２Ｋとし、シャッタ開口３２Ａを開口３２Ａとする。第１シャッタ３２５Ｋは、第１蓋３１Ｋが閉鎖位置にあるときに第１排出口３６Ｋを開放する排出位置と、第１蓋３１Ｋが開放位置にあるときに第１排出口３６Ｋを閉鎖する閉鎖位置（図１１参照）との間を移動可能である。第１シャッタ３２５Ｋは、排出位置と閉鎖位置との間を、第１撹拌部材の軸線方向に沿って延びる軸線について回動可能である。第１シャッタ３２５Ｋは、シャフト３２６と、シャッタ本体３２７と、連結部３２８とを備える。シャフト３２６は、第１シャッタ３２５Ｋの回動軸線に沿って延びる。シャフト３２６は、第１収容容器３０Ｋに回転可能に支持される。シャッタ本体３２７は、第１収容容器３０Ｋの底部３０Ｂと壁部３２Ｋとの間に位置する。シャッタ本体３２７は、底部３０Ｂに沿う。シャッタ本体３２７は、円弧形状を有する。シャッタ本体３２７は、シャッタ開口３２９を有する。連結部３２８は、シャッタ本体３２７とシャフト３２６とを連結する。シャッタ開口３２９は、第１シャッタ３２５Ｋが排出位置にある状態において、第１排出口３６Ｋと連通するとともに、開口３２Ａと連通する。シャッタ開口３２９は、第１シャッタ３２５Ｋが閉鎖位置にある状態において、第１排出口３６Ｋからずれる。第１排出口３６Ｋは、シャッタ本体３２７におけるシャッタ開口３２９以外の部分と向かい合う（図１１参照）。
【００４７】
リンク機構３４０は、第１蓋３１Ｋの移動と第１シャッタ３２５Ｋの移動とをリンクさせる。リンク機構３４０は、第１リンク３４１と、第２リンク３４２と、第３リンク３４３とを備える。第１リンク３４１は、第３壁３８Ｃに回動可能に支持される。第１リンク３４１は、長穴３４４を有する。第２リンク３４２は、第１リンク３４１および第３リンク３４３を連結する。第２リンク３４２は、ボス３４５を備える。第２リンク３４２は、上下方向に延びる。ボス３４５は、第２リンク３４２の上端に設けられる。ボス３４５は、長穴３４４に嵌る。第２リンク３４２の下端は、第３リンク３４３に回動可能に接続される。第３リンク３４３は、第２リンク３４２と連結部３２８とを連結する。第３リンク３４３は、第２リンク３４２に回動可能に接続される一端と、連結部３２８に回動可能に接続される他端とを有する。第３リンク３４３の一端は、第３リンク３４３の他端から離れて位置する。第１蓋３１Ｋが閉鎖位置に位置する状態において、ボス３４５は、長穴３４４の一端に位置する。このとき、第１シャッタ３２５Ｋは、排出位置に位置する。また、図１１に示すように、第１蓋３１Ｋが閉鎖位置から開放位置に移動すると、第１リンク３４１は、ボス３４５を長穴３４４の一端から他端移動させた後、ボス３４５を引っ張る。これによって、第１リンク３４１は、第２リンク３４２および第３リンク３４３を引っ張る。すると、第１シャッタ３２５Ｋは、排出位置から閉鎖位置に回動する。このような第３実施形態によれば、第１蓋３１Ｋが閉鎖位置にあるときに、第１シャッタ３２５Ｋを確実に排出位置に位置でき、第１蓋３１Ｋが開放位置にあるときに、第１シャッタ３２５Ｋを確実に閉鎖位置に位置できる。また、第３実施形態によっても、第１実施形態と同様の作用効果を奏することができる。
【符号の説明】
【００４８】
１        画像形成装置
２Ｋ      第１現像ユニット
２Ｙ      第２現像ユニット
３Ｋ      第１トナー供給ユニット
３Ｙ      第２トナー供給ユニット
２０Ｋ    第１現像ローラ
２０Ｙ    第２現像ローラ
３０Ｋ    第１収容容器
３０Ｙ    第２収容容器
３０Ａ    口部
３０Ｂ    底部
３１Ｋ    第１蓋
３１Ｙ    第２蓋
３２Ｋ    第１シャッタ
３２Ｙ    第２シャッタ
３３Ｋ    第１撹拌部材
３３Ｙ    第２撹拌部材
３４      第１カップリング
３５Ｋ    第１受入口
３５Ｙ    第２受入口
３６Ｋ    第１排出口
３６Ｙ    第２排出口
３９      第２カップリング
２００    画像形成装置
３００    画像形成装置
３０１    口部の一端
３０２    口部の他端
３１１    第１蓋の一端
３１２    第１蓋の他端
３２５Ｋ  第１シャッタ
３４０    リンク機構
【図１】
2019061214.tif 000003
【図２】
2019061214.tif 000004
【図３】
2019061214.tif 000005
【図４】
2019061214.tif 000006
【図５】
2019061214.tif 000007
【図６】
2019061214.tif 000008
【図７】
2019061214.tif 000009
【図８】
2019061214.tif 000010
【図９】
2019061214.tif 000011
【図１０】
2019061214.tif 000012
【図１１】
2019061214.tif 000013